(57)【特許請求の範囲】
【請求項１】
収容部を有するスイッチ本体と、
前記収容部内に設けられ、第１の固定接点、第２の固定接点、及び前記第１の固定接点と前記第２の固定接点に接触可能な第１の可動接片を有し、前記第１の可動接片が第１の方向に押圧されることによりオン状態に設定される押し釦スイッチと、
前記収容部内に収容され、第３の固定接点、第４の固定接点、前記第３の固定接点と前記第４の固定接点に接触可能な第２の可動接片、前記第２の可動接片を保持し、前記押し釦スイッチの前記第１の可動接片に当接され、前記第１の方向に移動可能な第１のロータ、及び前記第１の方向に移動可能で、前記第１のロータに係合された第２のロータを有し、前記第２のロータにキーが挿入された状態において、前記第１の方向に沿った軸を中心として前記第２のロータ、前記第１のロータ、及び第２の可動接片が回転可能とされ、オン又はオフの状態に設定可能なロータリースイッチと、
前記押し釦スイッチの前記第１の固定接点及び前記第２の固定接点と前記ロータリースイッチの前記第３の固定接点及び前記第４の固定接点に接続された複数の端子と、
を具備し、
前記ロータリースイッチは、前記キーが挿入された状態及び前記キーが挿入されない状態の何れにおいても、前記第１のロータ及び前記第２のロータが前記第１の方向に移動可能であり、前記押し釦スイッチをオン状態に設定可能であるとともに、前記ロータリースイッチのオン又はオフの状態の信号と、前記押し釦スイッチのオン又はオフの状態の信号とを組み合わせた信号を前記端子から出力する
ことを特徴とするキー押し釦スイッチ。
【請求項２】
収容部を有し、押し釦スイッチを構成する第１の固定接点及び第２の固定接点と、ロータリースイッチを構成する第３の固定接点と第４の固定接点を有するスイッチ本体と、
周縁部が前記第１の固定接点に接触され、中央部が前記第２の固定接点に接触可能な前記押し釦スイッチを構成するドーム状の第１の可動接片と、
前記収容部内に設けられ、前記第１の可動接片を押圧する第１の方向及び第１の方向と反対の第２の方向に移動可能で、前記第１、第２の方向に沿った軸を中心として回転可能とされた第１のロータと、
前記第１のロータに設けられ、前記第３の固定接点と前記第４の固定接点に接触可能な第２の可動接片と、
前記スイッチ本体内に設けられ、前記軸を中心として回転可能で、前記第１、第２の方向に移動可能とされ、前記第１の方向の端部が前記第１のロータに嵌合可能で、前記第２の方向の端部にキーの挿入部を有し、前記第１のロータを回転、及び押圧可能な第２のロータと、
前記第２のロータを前記第１のロータから離間する方向に付勢する弾性部材と、
前記第２のロータの側面から出入可能に設けられ、前記挿入部に前記キーが挿入された状態において、ロックが解除されるロック部材と、
前記スイッチ本体内の側面で、前記第２のロータの回転方向の第１の位置に設けられ、前記挿入部に前記キーが挿入されていない状態において、前記ロック部材に係合され、前記第２のロータの回転を阻止し、前記第２のロータの前記第１の方向の移動を可能とする第１の係合部と、
前記スイッチ本体内の側面で、前記第２のロータの回転方向の第２の位置に設けられ、前記挿入部に前記キーが挿入された状態において、前記第２のロータの前記第１の方向の移動を可能とする第２の係合部と
を具備することを特徴とするキー押し釦スイッチ。
【請求項３】
前記第２のロータの前記第２の方向の端部は、半球体形状であり、前記弾性部材により前記第２のロータが前記第１のロータから離間する方向に付勢された状態において、前記半球体形状の端部が前記スイッチ本体から突出されることを特徴とする請求項２記載のキー押し釦スイッチ。
【請求項４】
前記キーは、前記押し釦スイッチを操作するための押圧操作部を具備することを特徴とする請求項１乃至３の何れか一項に記載のキー押し釦スイッチ。
【発明の詳細な説明】
【技術分野】
【０００１】
本発明の実施形態は、例えば電子機器の設定の切り替え等に適用されるキー押し釦スイッチに関する。
【背景技術】
【０００２】
例えば遊技台等の電子機器は、電子機器の設定を変更するために例えば押し釦スイッチとキースイッチ（ロータリースイッチ）とがそれぞれ実装されている。このため、これらスイッチを配置するためのスペースを要していた。
【０００３】
電子機器に対するスイッチのスペースを削減するため、キースイッチと押し釦スイッチを含むキー押し釦スイッチが開発されている（例えば特許文献１）。
【先行技術文献】
【特許文献】
【０００４】
【特許文献１】実用新案登録第２５８５３２８号公報
【発明の概要】
【発明が解決しようとする課題】
【０００５】
本発明の実施形態は、キースイッチのオン、オフによらず押し釦スイッチを操作することが可能なキー押し釦スイッチを提供しようとするものである。
【課題を解決するための手段】
【０００６】
本実施形態のキー押し釦スイッチは、収容部を有するスイッチ本体と、収容部内に設けられ、第１の固定接点、第２の固定接点、及び第１の固定接点と第２の固定接点に接触可能な第１の可動接片を有し、第１の可動接片が第１の方向に押圧されることによりオン状態に設定される押し釦スイッチと、収容部内に収容され、第３の固定接点、第４の固定接点、第３の固定接点と第４の固定接点に接触可能な第２の可動接片、第２の可動接片を保持し、押し釦スイッチの第１の可動接片に当接され、第１の方向に移動可能な第１のロータ、及び第１の方向に移動可能で、第１のロータに係合された第２のロータを有し、第２のロータにキーが挿入された状態において、第１の方向に沿った軸を中心として第２のロータ、第１のロータ、及び第２の可動接片が回転可能とされ、オン又はオフの状態に設定可能なロータリースイッチと、押し釦スイッチの第１の固定接点及び第２の固定接点とロータリースイッチの第３の固定接点及び第４の固定接点に接続された複数の端子と、
を具備し、ロータリースイッチは、キーが挿入された状態及びキーが挿入されない状態の何れにおいても、第１のロータ及び第２のロータが第１の方向に移動可能であり、押し釦スイッチをオン状態に設定可能であるとともに、ロータリースイッチのオン又はオフの状態の信号と、押し釦スイッチのオン又はオフの状態の信号とを組み合わせた信号を端子から出力する。
【図面の簡単な説明】
【０００７】
【図１】本実施形態に係るキー押し釦スイッチを概略的に示す斜視図。
【図２】図１のＩＩ−ＩＩ線に沿った断面図。
【図３】図１に示すキー押し釦スイッチを分解して示す斜視図。
【図４】図４（a）及び（ｂ）は、本実施形態に係るキー押し釦スイッチの異なる動作状態を示すものであり、要部を取り出して示す平面図。
【図５】本実施形態に係るスリーブの構造を示す平面図。
【図６】図６（a）及び（ｂ）は、本実施形態に係るスリーブとキーロータの構造を示すものであり、異なる方向から見た斜視図。
【図７】図７（a）乃至（ｃ）は、本実施形態に係るキー押し釦スイッチの動作を示す図。
【発明を実施するための形態】
【０００８】
以下、実施の形態について、図面を参照して説明する。図面において、同一部分には、同一符号を付している。
【０００９】
図１は、本実施形態に係るキー押し釦スイッチの斜視図である。キー押し釦スイッチは、スイッチ本体１００と、スイッチ本体１００に挿入されるキー１７からなる。スイッチ本体１００は、押し釦スイッチ、及びロータリースイッチを収容するハウジング１と、押し釦スイッチ、及びロータリースイッチを操作するキーロータ１２と、キーロータ１２が挿入されるスリーブ１１とを有する。ハウジング１とスリーブ１１は、一体であっても別体であってもよい。キー１７は、キー頂部が略平板状とされ、押し釦スイッチを操作するための押圧操作部１７ａを有している。押圧操作部１７ａはキー１７と一体成形されたもの、又は、例えば弾性体からなるカバー部材を一体的に取り付けたものであっても構わない。さらに、押圧操作部１７ａは平板状に限定されるものではなく、広い面積を有する形状であればよい。
【００１０】
図２は、図１に示すキー押し釦スイッチの断面を示し、図３は、図１に示すキー押し釦スイッチを分解して示している。
【００１１】
図２、図３に示すように、スイッチ本体１００を構成するハウジング１は収容部１ａを有している。収容部１ａ内には、基板２、可動接片３（第１の可動接片）、カム部材４、可動接片５（第２の可動接片）、及びロータ６（第１のロータ）が収容される。
【００１２】
基板２は、押し釦スイッチ、及びロータリースイッチ（キースイッチ）を構成する固定接点を保持する。すなわち、基板２の中央には開口部２ａが設けられている。開口部２ａ内には、押し釦スイッチを構成する第１の固定接点２ｂ、及び第２の固定接点２ｃが設けられている。
【００１３】
基板２上で開口部２ａの近傍には、ロータリースイッチを構成する第３の固定接点２ｄ、及び第４の固定接点２ｅが設けられている。
【００１４】
基板２は、切り欠き部２ｆを有している。切り欠き部２ｆは、基板２がハウジング１の収容部１ａに収容された場合、収容部１ａ内の凸部１ｅに嵌合される。
【００１５】
可動接片３は、基板２の開口部２ａ内に収容され、押し釦スイッチを構成する。可動接片３は、導電性の金属により例えばドーム状に形成されている。この可動接片３は、周縁部が第１の固定接点２ｂ上に載置される。押し釦スイッチの回路構成については、後述する。
【００１６】
カム部材４は、ハウジング１の収容部１ａ内に収容され、基板２の周囲に載置される。カム部材４は、ロータ６を収容する開口部４ａを有している。開口部４ａの内周面には、９０°毎に離間して例えば４つの溝４ｂ、４ｃ、４ｄ、４ｅが設けられている。
【００１７】
ロータ６は、カム部材４の開口部４ａ内に収容される。ロータ６は、その底部に突部６ｃを有している。突部６ｃは、ロータ６が開口部４ａ内に収容された状態において、可動接片３の中央部に当接される。ロータ６は、可動接片３の弾性により可動接片３上に載置される。
【００１８】
ロータ６は、開口部４ａ内において、収容部１ａの底部に近づく方向（第１の方向）、及びその反対方向（第２の方向）に移動可能であり、第１、第２の方向に沿った軸を中心として開口部４ａ内において回転可能とされている。ロータ６が可動接片３の弾性に抗して第１の方向に押圧された場合、突部６ｃにより可動接片３の中央部が変形され、押し釦スイッチがオンとされる。押し釦スイッチの動作については、後述する。
【００１９】
ロータ６の側面には貫通孔６ａが設けられており、貫通孔６ａ内に２つのスチールボール８と、これらスチールボール８を貫通孔の外部に付勢するバネ７が設けられる。２個のスチールボール８は、ロータ６の回転に応じて、カム部材４の溝４ｂ、４ｃ、４ｄ、４ｅのうち対向する２つの溝に嵌合され、ロータ６の回転を制限する。
【００２０】
ロータ６の上部には、凹部６ｂが設けられている。この凹部６ｂには、後述するキーロータ１２（第２のロータ）の凸部１２ａが嵌合される。これにより、ロータ６とキーロータ１２とは、一体的に回転可能とされている。
【００２１】
可動接片５は、ロータ６の底面に設けられ、ロータリースイッチの接点として機能する。可動接片５は、ロータ６とともに回転し、基板２上の第３の固定接点２ｄ及び第４の固定接点２ｅに接触される。ロータリースイッチの動作については、後述する。
【００２２】
基板２、可動接片３、カム部材４、可動接片５、及びロータ６が収容されたハウジング１上には、ハウジング１を覆うカバー９が装着される。カバー９は、一対の嵌合部９ｂ（図３には一方のみを示している）を有している。嵌合部９ｂは、開口部９ｃを有している。カバー９がハウジング１に装着された場合、嵌合部９ｂは、ハウジング１の凹部１ｂに嵌合され、開口部９ｃは、ハウジング１の突起部１ｃに嵌合される。
【００２３】
カバー９の中央部には、後述するキーロータ１２が挿入される開口部９ａが設けられている。開口部９ａの周縁には、溝部９ｄが設けられている。溝部９ｄには、キーロータ１２をロータ６から離間する方向（第２の方向）に付勢するばね１０が設置される。
【００２４】
カバー９の角部には、４つの突起９ｅ、９ｆ、９ｇ、９ｈが設けられている。これら突起９ｅ、９ｆ、９ｇ、９ｈは、カバー９上に配置されるスリーブ１１のフランジに設けられた挿入孔１１ａ、１１ｂ、１１ｃ（図３において３つのみを示す）に嵌合される。
【００２５】
スリーブ１１には、キーロータ１２が挿入される開口部１１ｄが設けられている。
【００２６】
キーロータ１２は、スリーブ１１の開口部１１ｄ内において、ロータ６と同様に、第１の方向、及び、その反対方向の第２の方向に移動可能で、且つ、第１、第２の方向を回転軸として回転可能に設置される。
【００２７】
キーロータ１２の第１の方向の端部には、ロータ６の凹部６ｂに嵌合可能な凸部１２ａが設けられている。キーロータ１２の凸部１２ａがロータ６の凹部６ｂに嵌合された状態において、キーロータ１２と、ロータ６とは一体的に回転可能であり、ロータ６に設けられた可動接片５が回転される。さらに、キーロータ１２が第１の方向に押圧された場合、キーロータ１２の底部及び凸部１２ａによりロータ６が第１の方向に押圧され、可動接片３が第１の方向に押圧される。
【００２８】
キーロータ１２の第２の方向の端部は、半球体形状の突部を有し、この突部にキー１７が挿入される挿入部１２ｂが設けられている。キーロータ１２の側面部には、ストッパ１３が挿入される挿入部１２ｃが設けられている。キーロータ１２とストッパ１３との間には、バネ１５ｄが設けられており、ストッパ１３は、キーロータ１２の側面部より突出する方向に付勢される。
【００２９】
図２に示すように、スリーブ１１内には係合部１１ｉが設けられている。この係合部１１ｉにストッパ１３が当接することにより、ばね１０によりスリーブ１１から突出する方向に付勢されたキーロータ１２が、スリーブ１１に対して抜け止めされる。ストッパ１３が係合部１１ｉに当接した状態において、キーロータ１２の第２の方向の端部は、スリーブ１１の外部に突出している。
【００３０】
さらに、キーロータ１２の側面部には、複数の挿入部１２ｇが設けられている。これら挿入部１２ｇは、キー１７の挿入部１２ｂに連通されている。これら挿入部１２ｇ内にロック部材１４ａ、１４ｂ、１４ｃが出入可能に挿入される。キーロータ１２とロック部材１４ａ、１４ｂ、１４ｃとの間にはバネ１５ａ、１５ｂ、１５ｃが設けられ、ロック部材１４ａ、１４ｂ、１４ｃは、キーロータ１２の側面部より突出する方向に付勢される。
【００３１】
ロック部材１４ａ、１４ｂ、１４ｃのそれぞれには、キー１７の形状に対応したキー挿入孔が設けられている。
【００３２】
キーロータ１２にキー１７が挿入されない場合、すなわち、ロック部材１４ａ、１４ｂ、１４ｃのキー挿入孔にキー１７が挿入されない場合、ロック部材１４ａ、１４ｂ、１４ｃの端部は、キーロータ１２の側面部より突出される。
【００３３】
一方、図２に示すように、キーロータ１２にキー１７が挿入された場合、すなわち、ロック部材１４ａ、１４ｂ、１４ｃのキー挿入孔にキー１７が挿入された場合、キー１７の形状に対応してロック部材１４ａ、１４ｂ、１４ｃのキー挿入孔の位置が移動し、キーロータ１２の側面部より突出していたロック部材１４ａ、１４ｂ、１４ｃの端部がキーロータ１２内に没入する。
【００３４】
スリーブ１１は、フレーム１６によりハウジング１に固定される。フレーム１６の上面には、スリーブ１１が挿入される開口部１６ａが設けられている。フレーム１６の一対の係合部１６ｂ、１６ｃには、開孔１６ｄ、１６ｅが設けられている。フレーム１６をハウジング１に装着した状態において、開孔１６ｄ、１６ｅがハウジング１の側面部に設けられた一対の突起部１ｄに嵌合され、スリーブ１１がハウジング１に対して固定される。
【００３５】
次に、図４（ａ）（ｂ）を参照して、押し釦スイッチ、及びロータリースイッチの回路について説明する。
【００３６】
図４（ａ）（ｂ）に示すように、基板２の中央の開口部２ａ内には、前述したように、押し釦スイッチを構成する第１の固定接点２ｂ、及び第２の固定接点２ｃが設けられている。第１の固定接点２ｂは、端子１８ｂに接続され、第２の固定接点２ｃは、端子１８ｃに接続されている。
【００３７】
ロータリースイッチを構成する第３の固定接点２ｄは、第１の固定接点２ｂと共通の端子１８ｂに接続され、第４の固定接点２ｅは、端子１８ａに接続されている。
【００３８】
第１の固定接点２ｂ、及び第２の固定接点２ｃ上に、例えばドーム状の可動接片３が配置されている。具体的には、可動接片３の周縁部は、第１の固定接点２ｂ上に載置され、可動接片３の中央部は、第２の固定接点２ｃから離間されている。すなわち、可動接片３の中央部が第１の方向に押圧されない状態において、可動接片３は、第２の固定接点２ｃから離間されている。このため、押し釦スイッチはオフ状態である。このとき、端子１８ｂと端子１８ｃとは、電気的に分離されている。
【００３９】
一方、可動接片３の中央部が第１の方向に押圧された場合、可動接片３が変形し、第２の固定接点２ｃに接触される。この状態において、第１の固定接点２ｂと第２の固定接点２ｃが電気的に接続され、押し釦スイッチはオン状態となる。このとき、端子１８ｂと端子１８ｃとは、電気的に接続されている。
【００４０】
また、可動接片３への押圧力を解除すると、可動接片３は、自身の弾性により変形状態からドーム状に復帰し、第１の固定接点２ｂと第２の固定接点２ｃが電気的に分離されたオフ状態となる。このとき、端子１８ｂと端子１８ｃとは、電気的に分離される。
【００４１】
可動接片５は、ロータ６の回転に従って、図４（ａ）及び図４（ｂ）に示す位置に移動される。図４（ａ）は、可動接片５が、第３の固定接点２ｄ、及び第４の固定接点２ｅから非接触とされたロータリースイッチがオフの状態を示している。このとき、端子１８ａと端子１８ｂとは、電気的に分離されている。この状態からロータ６が図示矢印Ａ方向（第３の方向）に例えば９０°回転され、図４（ｂ）に示す位置に可動接片５が移動されると、可動接片５の接点５ａ、５ｂが第３の固定接点２ｄ、及び第４の固定接点２ｅに接触される。この状態において、第３の固定接点２ｄ、及び第４の固定接点２ｅは、可動接片５により電気的に接続され、ロータリースイッチはオン状態となる。このとき、端子１８ａと端子１８ｂとは、電気的に接続される。
【００４２】
図４（ｂ）に示す状態からロータ６が図示矢印Ｂ方向（第４の方向）に９０°回転されると、図４（ａ）に示すように、ロータリースイッチは、オフ状態に設定される。このとき、端子１８ａと端子１８ｂとは、電気的に分離される。
【００４３】
後述するように、本実施形態のキー押し釦スイッチは、ロータ６の回転位置に係らず、押し釦スイッチを操作することが可能とされている。図４（ａ）に示すように、ロータリースイッチがオフ状態の場合において、押し釦スイッチをオン又はオフに設定することが可能であり、図４（ｂ）に示すように、ロータリースイッチがオン状態の場合において、押し釦スイッチをオン又はオフに設定することが可能である。
【００４４】
例えば、押し釦スイッチとロータリースイッチの両方がオン状態である場合、端子１８ａ、１８ｂ、１８ｃは、電気的に接続されている。押し釦スイッチのみがオン状態である場合、端子１８ｂと１８ｃとが電気的に接続されている。ロータリースイッチのみがオン状態である場合、端子１８ａと１８ｂとが電気的に接続されている。押し釦スイッチとロータリースイッチの両方がオフ状態である場合、端子１８ａ、１８ｂ、１８ｃは、電気的に分離されている。したがって、端子１８ａ、１８ｂ、１８ｃの電気的な接続又は分離の状態により、ロータリースイッチのオン又はオフの状態の信号と、押し釦スイッチのオン又はオフの状態の信号とを組み合わせた信号を出力することが可能である。
【００４５】
尚、図４（ａ）（ｂ）は、第１の固定接点２ｂと第３の固定接点２ｄが共通接続された場合を示しているが、これに限らず、第１の固定接点２ｂと第３の固定接点２ｄを切り離し、押し釦スイッチとロータリースイッチを別々のスイッチとしてもよい。すなわち、スイッチの回路構成は、図示せぬ電子機器のコントローラの仕様により変形することも可能である。
【００４６】
次に、図５、図６を参照してスリーブ１１の内部構造と、キーロータ１２の構造について説明する。
【００４７】
前述したように、本実施形態のキー押し釦スイッチは、キー１７がキーロータ１２に挿入された場合、及びキー１７がキーロータ１２に挿入されない場合においても、押し釦スイッチを操作することが可能とされている。このため、スリーブ１１内は、この動作を可能とする構造を有している。
【００４８】
図５は、スリーブ１１の上面図を示しており、図６（ａ）、（ｂ）は、キーロータ１２にキー１７が挿入されず、キーロータ１２が第１の方向に押圧されていない状態で、押し釦スイッチ及びロータリースイッチが共にオフ状態とされた状態（以下、初期状態と呼ぶ）をそれぞれ異なる方向から示している。
【００４９】
図５、図６（ａ）（ｂ）に示すように、スリーブ１１の内周面の第１の位置には、ロック溝１１ｇ（第１の係合部）が設けられている。ロック溝１１ｇは、ロック部材１４ａ、１４ｂ、１４ｃが挿入可能な幅と奥行きを有し、且つ、ロック部材１４ａ、１４ｂ、１４ｃが挿入された状態において、第１、第２の方向に移動可能な深さ（長さ）を有している。
【００５０】
また、スリーブ１１の内周面で、キーロータ１２の図示矢印Ａ方向の回転に沿って、段部１１ｅ、溝１１ｌ、溝１１ｋ（第２の係合部）、段部１１ｆが設けられている。
【００５１】
段部１１ｅは、キーロータ１２の図示矢印Ｂ方向の回転位置を規定する。すなわち、段部１１ｅは、図６（ｂ）に示す位置にキーロータ１２が回転された状態において、キーロータ１２に設けられたストッパ１２ｅに当接可能とされている。
【００５２】
溝１１ｌは、キーロータ１２が図６（ｂ）に示す位置において、キーロータ１２を第１、第２の方向に移動可能とする。すなわち、溝１１ｌは、キーロータ１２に設けられたストッパ１２ｆが移動可能な幅と深さを有している。深さは、キーロータ１２の段部１２ｈとスリーブ１１の第１の段部１１ｈとの距離と同等である。
【００５３】
段部１１ｆは、キーロータ１２の図示矢印Ａ方向（第３の方向）の回転位置（第２の位置）を規定する。すなわち、段部１１ｆは、キーロータ１２が図示矢印Ａ方向に回転された状態において、キーロータ１２のストッパ１２ｆに当接可能とされている。段部１１ｆと段部１１ｅとの成す角は、９０°に設定されており、キーロータ１２は、段部１１ｆと段部１１ｅと間において、９０°回転可能とされている。
【００５４】
溝１１ｋは、段部１１ｆに隣接して配置されている。溝１１ｋは、キーロータ１２のストッパ１２ｆが、第２の位置に回転され、段部１１ｆに当接された状態において、キーロータ１２を第１、第２の方向に移動可能とする。このため、この溝１１ｋは、ストッパ１２ｆより若干広い幅を有し、ストッパ１２ｆが第１、第２の方向に移動可能な深さを有している。この深さは、溝１１ｌの深さと同等である。
【００５５】
（動作）
図６、図７を参照してキー押し釦スイッチの動作について説明する。
【００５６】
図６（ａ）に示すように、初期状態において、ロック部材１４ａ、１４ｂ、１４ｃの端部は、キーロータ１２の側面部から突出し、ロック溝１１ｇに係合される。これにより、キーロータ１２は、スリーブ１１に対して回転運動が阻止される。すなわち、ロータリースイッチの操作が不可能なロック状態に設定される。
【００５７】
この状態において、ロック溝１１ｇは、ロック部材１４ａ、１４ｂ、１４ｃが第１、第２の方向に移動可能な深さを有しているため、初期状態において、キーロータ１２は、第１、第２の方向へ移動可能とされている。すなわち、キーロータ１２は、キーロータ１２の段部１２ｈとスリーブ１１の第１の段部１１ｈとが接触するまで第１の方向へ移動可能である。このため、図７（ａ）に示すように、初期状態からキーロータ１２を第１の方向に押圧操作することにより、ロータ６が第１の方向に駆動され、可動接片３が変形される。このため、押し釦スイッチがオン状態に設定される。従って、ロータリースイッチがオフ状態で、押し釦スイッチをオン状態に設定することができる。
【００５８】
この状態より、キーロータ１２に対する押圧力を解除すると、ばね１０の付勢力により、キーロータ１２が第２の方向に移動され、図６（ａ）（ｂ）に示す位置に復帰される。このため、ロータ６への付勢力が解除され、可動接片３がドーム状に復帰され、押し釦スイッチはオフ状態に設定される。
【００５９】
一方、図６（ａ）（ｂ）に示す初期状態において、キーロータ１２にキー１７が挿入された場合、ロック部材１４ａ、１４ｂ、１４ｃがキーロータ１２内に没入される。このため、ロック部材１４ａ、１４ｂ、１４ｃとロック溝１１ｇの係合状態が解除され、キーロータ１２は、回転可能となる。
【００６０】
この状態において、図７（ｂ）に示すように、キー１７を図示矢印Ａ方向に回転すると、キーロータ１２のストッパ１２ｆが段部１１ｆに当接される。キーロータ１２の回転に伴い、ロータ６が回転され、可動接片５が第３の固定接点２ｄ、第４の固定接点２ｅに接触される。このため、ロータリースイッチがオン状態に設定される。
【００６１】
この状態において、キー１７の押圧操作部１７ａを第１の方向に押圧すると、図７（ｃ）に示すように、キーロータ１２のストッパ１２ｆが、溝１１ｋ内に進入する。このように、キーロータ１２が第１の方向に押圧されることにより、ロータ６が第１の方向に駆動され、可動接片３が変形される。このため、押し釦スイッチがオン状態に設定される。従って、ロータリースイッチがオン状態で、押し釦スイッチもオン状態に設定することができる。
【００６２】
ロータリースイッチがオン状態の場合、ロック部材１４ａ、１４ｂ、１４ｃがキーロータ１２内に没入しているため、キー１７は、抜き取ることができない。
【００６３】
この状態より、キー１７の押圧操作部１７ａに対する押圧力を解除すると、キーロータ１２が図７（ｂ）に示す位置に復帰され、前述した動作と同様にして、押し釦スイッチがオフ状態に設定される。
【００６４】
図７（ｂ）に示す状態より、キー１７を図示矢印Ｂ方向に回転すると、キーロータ１２の回転に伴いロータ６も図示矢印Ｂ方向に回転し、可動接片５が第３の固定接点２ｄ、第４の固定接点２ｅから離間する。このため、ロータリースイッチがオフ状態に設定される。
【００６５】
キーロータ１２のストッパ１２ｅがスリーブ１１の段部１１ｅに当接した状態において、キー１７をキーロータ１２から抜き取ると、図６（ａ）に示すように、ロック部材１４ａ、１４ｂ、１４ｃの端部は、キーロータ１２の側面部から突出し、ロック溝１１ｇに係合される。これにより、ロータリースイッチの操作が不可能なロック状態に設定される。
【００６６】
尚、本実施形態において、ロータリースイッチの固定接点は、基板２に設けられた固定接点２ｄ、２ｅ、及びロータ６に設けられた可動接片５により構成されている場合について説明した。しかし、ロータリースイッチの構成は、上記の構成に限定されない。例えばキーロータ１２の側面にロータリースイッチの可動接片が設けられ、スリーブ１１の内周面にロータリースイッチの固定接点が設けられ、キーロータ１２の回転によりオン又はオフの状態が設定されるように構成することも可能である。
【００６７】
（効果）
本実施形態によれば、ハウジング１内に、押し釦スイッチとロータリースイッチとが設けられ、ロータリースイッチがオン状態であるかオフ状態であるかに係らず、押し釦スイッチを操作することが可能である。すなわち、スリーブ１１は、キーロータ１２が第１の位置において、ロック部材１４ａ、１４ｂ、１４ｃが係合するロック溝１１ｇを有し、このロック溝１１ｇは、キーロータ１２が第１の方向に移動可能な深さを有している。このため、ロータリースイッチがオフ状態において、押し釦スイッチをオン状態とすることができる。
【００６８】
また、スリーブ１１は、キーロータ１２にキー１７が挿入され、キーロータ１２が第１の位置から第２の位置に回転された状態において、キーロータ１２に設けられたストッパ１２ｆが第１の方向に移動可能な溝１１ｋを有している。このため、ロータリースイッチがオン状態において、押し釦スイッチをオン状態とすることができる。
【００６９】
このように、１つのスイッチで押し釦スイッチとロータリースイッチの両方がオン状態である場合、押し釦スイッチのみがオン状態である場合、ロータリースイッチのみがオン状態である場合、押し釦スイッチとロータリースイッチの両方がオフ状態である場合を設定することが可能である。したがって、１つのキー押し釦スイッチにより電子機器に４つの状態を設定することが可能である。
【００７０】
さらに、キーロータ１２の第２の方向の端部がドーム状に形成され、さらに、この端部がスリーブ１１から突出されている。このため、キースイッチの端部がスリーブ１１の端部と一致されている場合に比べて、押し釦スイッチとしての操作性を向上することができる。
【００７１】
（使用例）
本実施形態に係るキー押し釦スイッチが、例えばパチンコや所謂パチスロなどの遊技台に実装された電子回路の設定変更や誤動作解除用として適用される場合について説明する。遊技台の設定変更は、例えば権限を有する店員が行うことができ、誤動作解除は、一般店員及び権限を有する店員の両方が行うことができるものとする。
【００７２】
このため、遊技台の電子回路は、誤動作が発生した場合、キーロータ１２を押圧操作することにより、誤動作が解除され、設定を変更する場合、キーロータ１２を回転した状態において、キーロータ１２を押圧操作することにより設定が変更されるように構成されているものとする。
【００７３】
上記構成において、遊技台に誤動作が発生した際、一般店員及び権限を有する店員のどちらでもキーロータ１２を押圧操作することにより、誤動作を解除することができる。この場合、キーロータ１２にキー１７を挿入してもしなくともキーロータ１２を押圧操作することができる。
【００７４】
一方、遊技台の設定を変更する場合、権限を有する店員が、キーロータ１２にキー１７を挿入してキーロータ１２を回転し、ロータリースイッチをオンとした状態において、キーロータ１２を押圧して押し釦スイッチをオンとすることにより、設定変更が可能となる。このような遊技台の設定変更を行う場合には、ロータリースイッチのオン状態を維持したまま、設定条件に応じて複数回押し釦スイッチを押圧操作する。すなわち、キーロータ１２を、キー１７を介して押圧操作することが必要になるため、キー１７を押圧操作し易いようにキー頂部に略平板状の押圧操作部１７ａを設けている。
【００７５】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７６】
１…ハウジング、２…基板、２ａ…開口部、２ｂ…第１の固定接点、２ｃ…第２の固定接点、２ｄ…第３の固定接点、２ｅ…第４の固定接点、３、５…可動接片、６…ロータ、１０…ばね、１１…スリーブ、１２…キーロータ、１１ｅ、１１ｆ…段部、１１ｇ…ロック溝、１１ｈ…第１の段部、１１i…係合部、１１ｋ…溝、１２ｅ、１２ｆ、１３…ストッパ、１２ｇ…挿入部、１４ａ、１４ｂ、１４ｃ…ロック部材、１７…キー、１７ａ…押圧操作部。
【図１】
0006514957.tif 000002
【図２】
0006514957.tif 000003
【図３】
0006514957.tif 000004
【図４】
0006514957.tif 000005
【図５】
0006514957.tif 000006
【図６】
0006514957.tif 000007
【図７】
0006514957.tif 000008